(57)【要約】  本発明は、産業用及び個人用の皮膚トリートメント装置に関する。特に本発明は、駆動ユニット（２０）と、アタッチメント（３０）と、を備える皮膚トリートメント装置（１０）に関し、駆動ユニット（２０）は、出力要素（６０）と、回転軸周りを回転する回転支持要素（５０）と、を含み、回転支持要素（５０）は突起部を有し、アタッチメント（３０）は、皮膚トリートメント要素（３２）と、皮膚トリートメント要素（３２）のためのシャーシ（３４）と、を含み、シャーシ（３４）は、駆動ユニット（２０）の回転支持要素（５０）の突起部と協働する多数の凹部を有し、シャーシ（３４）は、回転支持要素（５０）によって支持されることが可能であり、シャーシ（３４）が回転支持要素（５０）に支持されている間に、突起部は凹部との係合位置をとることが可能であり、シャーシ（３４）が回転支持要素（５０）に支持されている間に、突起部は凹部との係合解除位置をとることが可能である。
2014520647.tif 000002
【特許請求の範囲】
【請求項１】
皮膚トリートメント装置（１０）であって、駆動ユニット（２０）と、アタッチメント（３０）と、を備え、前記駆動ユニット（２０）は、出力要素（６０）と、回転軸の周りを回転する回転支持要素（５０）と、を含み、前記回転支持要素（５０）は突起部を有し、前記アタッチメント（３０）は、皮膚トリートメント要素（３２）と、前記皮膚トリートメント要素（３２）のためのシャーシ（３４）と、を含み、前記シャーシ（３４）は、前記駆動ユニット（２０）の前記回転支持要素（５０）の前記突起部と協働する多数の凹部を有し、前記シャーシ（３４）は、前記回転支持要素（５０）によって支持されることが可能であり、前記シャーシ（３４）が前記回転支持要素（５０）に支持されている間に、前記突起部は前記凹部との係合位置をとることが可能であり、前記シャーシ（３４）が前記回転支持要素（５０）に支持されている間に、前記突起部は前記凹部との係合解除位置をとることが可能である、皮膚トリートメント装置（１０）。
【請求項２】
予め設定した閾値を超える外力に反応して、前記係合解除位置を取る、請求項１に記載の皮膚トリートメント装置（１０）。
【請求項３】
前記外力は、前記回転軸に対する接線方向力である、請求項２に記載の皮膚トリートメント装置（１０）。
【請求項４】
前記回転支持要素（５０）の前記凹部は、前記回転支持要素（５０）の前記回転軸の方向に向いている、請求項１〜３のいずれか一項に記載の皮膚トリートメント装置（１０）。
【請求項５】
前記突起部は、歯付きリングを形成している、請求項１〜４のいずれか一項に記載の皮膚トリートメント装置（１０）。
【請求項６】
前記凹部は、三角形状の凹部（３８）の形態で設けられる、請求項１〜５のいずれか一項に記載の皮膚トリートメント装置（１０）。
【請求項７】
前記突起部は、ラッチ（５４）形態で設けられる、請求項１〜６のいずれか一項に記載の皮膚トリートメント装置（１０）。
【請求項８】
前記突起部は、バネ付勢されたピン上に設けられる、請求項１〜７のいずれか一項に記載の皮膚トリートメント装置（１０）。
【請求項９】
皮膚トリートメント装置（１０）用のアタッチメント（３０）であって、前記皮膚トリートメント装置（１０）は駆動ユニット（２０）を備え、前記駆動ユニット（２０）は、出力要素（６０）と、回転支持要素（５０）と、を含み、前記回転支持要素（５０）は突起部を有し、前記アタッチメント（３０）は、皮膚トリートメント要素（３２）と、前記皮膚トリートメント要素（３２）のためのシャーシ（３４）と、を含み、前記シャーシ（３４）は、前記駆動ユニット（２０）の前記回転支持要素（５０）の前記突起部と協働する多数の凹部を有し、前記シャーシ（３４）は、前記回転支持要素（５０）によって支持されることが可能となっており、前記突起部は、前記凹部との係合位置をとることが可能であり、前記シャーシ（３４）が前記回転支持要素（５０）に支持されている間に、前記凹部との係合解除位置をとることが可能である、アタッチメント（３０）。
【発明の詳細な説明】
【技術分野】
【０００１】
本発明は産業用及び個人用の皮膚トリートメント装置に関する。本装置は、美容上又は健康上の利益を得るために使用され、例えばマッサージ効果、又は皮膚のクレンジングとリフレッシング、又は化粧組成物を塗るために使用することができる。
【背景技術】
【０００２】
清潔で健康的な美しい皮膚と顔への関心を満たすため、幅広い種類の保湿剤及びその他の化粧剤が利用可能である。化粧品工業のこれらの提案に対して、スキンケア器具及び装置の活用は多少限られてはいるが、その分野でもまた多くの努力がなされている。
【０００３】
米国特許第２，７１４，７８８号には、電動モータ、研磨パッド用ホルダ、及び研磨パッドを備えた体毛除去装置が開示されている。この装置は、例えば、脚などの体毛を摩擦によって皮膚から除去することを目的としている。
【０００４】
欧州特許第１  ４２９  ６７０  Ａ２号には、ハンドルと、ハンドルの近接端に位置するブラシとを備えた超音波洗浄装置が開示されている。洗浄装置は、ブラシに動作可能に取り付けられた超音波振動器を更に備えている。ハンドルの内部空間内に配置された電池が超音波振動器に動力を供給する。超音波振動が振動器からブラシを経て毛材に伝達される。このようにして洗浄装置は皮膚の洗浄に使用することができる。
【０００５】
国際特許第２０１０／１００５２７  Ａ１号には、フェイスケアのための器具が開示されている。このフェイスケア器具は、管状体と、管状体から軸方向に延びる、いわゆるフェイスパックとを備えている。このフェイスパックは、軸の周りで回転可能なフェイストリートメント用具と、軸に連結したサブアセンブリとを備えている。このサブアセンブリは、管状体から延びる軸の周りで回転するように軸支されたスピナーを含む。スピナーは、対向して円周方向に延び、弾性付勢された解除フィンガを有する。解除フィンガは、アプリケータ用具（例えばフェイストリートメント用具）を、スピナーとともに回転させるように、取り外し可能に実装する。スピナーは、スリップ軸受によってメインギアに取り付けられている。
【先行技術文献】
【特許文献】
【０００６】
【特許文献１】米国特許第２，７１４，７８８号
【特許文献２】欧州特許第１  ４２９  ６７０  Ａ２号
【特許文献３】国際特許第２０１０／１００５２７  Ａ１号
【発明の概要】
【発明が解決しようとする課題】
【０００７】
本発明は、多目的に使用できる皮膚トリートメント装置の提供を目的とする。皮膚トリートメント装置は１つ又はいくつかの用具での使用に適しているべきであり、その使用は直感的で、しかも安全でなければならない。更に皮膚トリートメント装置は、不適切な使用による予期しない損傷から保護されなければならない。
【課題を解決するための手段】
【０００８】
本発明は、産業用及び個人用の皮膚トリートメント装置に関する。特に本発明は、駆動ユニットとアタッチメントとを備える皮膚トリートメント装置に関し、駆動ユニットは、出力要素と、回転軸の周りを回転する回転支持要素と、を含み、回転支持要素は突起部を有し、アタッチメントは、皮膚トリートメント要素と、皮膚トリートメント要素のためのシャーシと、を含み、シャーシは、駆動ユニットの回転支持要素の突起部と協働する多数の凹部を有し、シャーシは、回転支持要素によって支持されることが可能であり、シャーシが回転支持要素に支持されている間に、突起部は凹部との係合位置をとることができ、シャーシが回転支持要素に支持されている間に、突起部は凹部との係合解除位置をとることが可能である。
【図面の簡単な説明】
【０００９】
【図１】本発明による皮膚トリートメント装置の平面図を示す。
【図２】図１の皮膚トリートメント装置の側面図を示す。
【図３】皮膚トリートメント装置の分解斜視図を示す。
【図４】本発明によるアタッチメントの後部部分切取図を示す。
【図５】本発明の装置の一部分の部分断面側面図を示す。
【発明を実施するための形態】
【００１０】
皮膚トリートメント装置は、駆動ユニットとアタッチメントとを備える。皮膚トリートメント装置は、２つ又は３つ以上のアタッチメントとともにキットとして提供してもよい。一時に１つのアタッチメントを駆動ユニットとともに用いることができる。それに加えて、又はその代わりに、駆動ユニットが２つ以上のアタッチメントを同時に作動させるようにしてもよい。しかしながら、一時に１つのアタッチメントを作動させることができる駆動ユニットが有用であることが判明した。したがって、アタッチメントは、駆動ユニットに取り外し可能に取り付けられる。駆動ユニットは、手動又はモータにより作動できる。多くの場合、駆動ユニットは電動モータによって作動する。この電動モータは、電池によって、例えば再充電可能な電池によって作動する。作動中に電源と接触するケーブルが必要な駆動ユニットも有効であり得る。
【００１１】
アタッチメントは、例えばブラシ形態の皮膚トリートメント用具又は要素を備えることができ、また出力要素を備えることができる。あるいは、例えばギアボックス形態などの出力要素は、駆動ユニットの一部とすることも可能である。それに代えて、又は追加して、駆動ユニットが更なるギアボックス又は動力伝達要素を備えることができる。
【００１２】
アタッチメントは、回転支持要素も備えている。回転支持要素は多くの有効な形態とすることができ、皮膚トリートメント要素へ回転を付与するために駆動ユニットと連結しなければならない。回転支持要素は、例えば皮膚トリートメント要素を支持することができる回転軸に垂直な平面を有することができる。回転支持要素は、いくつかの突起部を更に有する。突起部は多くの適切な形状を有してもよく、例えば丸形状又は角形状であってもよく、例えばノーズ又はピラミッドなどの形状であってもよい。三角形の断面の突起部が有用であることが判明している。それぞれの突起部は、皮膚トリートメント要素と回転支持要素との機械的な連結に用いることができる。この目的のため、皮膚トリートメント要素は多数の凹部を備えている。これら凹部は、回転支持要素の突起部と協働することができる。そのために、凹部形状が突起部を受け入れるように最適化されることが有効である。したがって、凹部はまた、本質的に丸形状又は角形状であってもよい。例えば、三角形の断面の凹部は、三角形の断面の突起部を受け入れるのに有効である。凹部は、歯付きリングの一部として形成してもよい。回転支持要素の凹部が、回転支持要素の回転軸に対向していることが有効である。
【００１３】
突起部はラッチ形態で設けられてもよい。突起部をバネに付勢されたピンとともに備えるのが有効である。バネの付勢力と、突起部及び凹部の形状とが、係合解除位置となる外力に応じた力閾値を設定する。したがって、所与の装置及び予想される使用条件に対して、この閾値を容易に選定することができる。
【００１４】
特定の機械設定とは無関係に、突起部は凹部との係合位置をとることができ、シャーシ３４が回転支持要素に支持されている間に、凹部との係合解除位置をとることが可能であることが望ましい。
【００１５】
回転運動を誘起するために、係合位置においてシャーシに力が伝達されてもよい。突起部と凹部との協働は、低振動及び低騒音操作が達成されるように行われる。
【００１６】
係合解除位置では、このような力は全く、又は本質的に全く伝達されない。したがってシャーシは係合解除位置で回転軸の周りを自由に動くことができるが、引き続き回転支持要素に支持され、したがってその位置に保持される。したがって、係合解除位置では、想定される係合解除位置に必要とされる力より大きな力がシャーシにかかっても、駆動ユニットの機械部品又はギアボックスが損傷することはない。
【００１７】
図１は、本発明による必須要素を備えた皮膚トリートメント装置１０を示す。装置１０は駆動ユニット２０を備える。駆動ユニットは、いくつかの出力装置に回転又は振動運動を一般に提供するモータを含む。モータは一般に、電池によって、好ましくは再充電可能な電池によって駆動できる電動モータである。駆動ユニット２０は、ユニットのオン／オフを行うための、及び／又は他の動作モードを選択するためのスイッチ２２を含む。
【００１８】
アタッチメント３０は、駆動ユニット２０に接続されてもよい。多様な適切なコネクタが良く知られているが、多くの場合、押し込み方式が有効である。他のアタッチメントが駆動ユニットに接続されてもよく、例えばアタッチメント３０は第１アタッチメントとして働くことができ、また更なるアタッチメントが第２アタッチメントとして働くことが可能であり、これも同一の駆動ユニット２０に接続されてもよい。示されたように、アタッチメント３０はブラシ３２を備える。本明細書においてブラシという用語は広く使用され、他の分野で知られているように、多様な材料からなる通常の毛材を備えることができる用具を指す。ブラシはゴム製の手段を備えてもよく、これらは毛材形状でも、棒又は紐形状でもよい。ブラシ３２は一般には、外形形状は円形であるが、他の形状でもよい。
【００１９】
図２は、同じ装置２０の側面図を示す。この側面図から明らかなように、駆動ユニットの主軸とブラシ３２の回転軸は、互いに傾いている。約１１０°の角度が有効であることが判明している。９０°〜１３５°及び１００°〜１２０°の範囲の角度が、一般に、使いやすく、かつ効率的な取扱いに有利であることが判明している。この側面図から容易に判るように、アタッチメント３０はギアボックス６０を備えており、その上にブラシ３２がブラシシャーシ３４と共に取り付けられている。ギアボックス６０は、回転支持要素５０を通してブラシシャーシ３４に接続されているが、回転支持要素５０はこの図面では、ブラシシャーシ３４とギアボックス６０との間のリングのような接続構造体にしか見えない。
【００２０】
図３は、装置１０のいくつかの主要要素の分解斜視図を示す。駆動ユニット２０は、ギアボックス６０から離れて示されている。ギアボックスには中央回転駆動軸６２が設けられている。
【００２１】
この中央駆動軸６２には、回転支持要素５０が取り付けられている。これは、複数個のサブ要素を備えている。第一に、これは軸６２上に取り付けられた回転板５２を備えている。回転板５２は、ラッチ５４の形をした突起部を含む。更に、バネ要素５６が回転板５２上に取り付けられている。これらのバネ要素５６は、ラッチ５４に圧力を及ぼして付勢することができる。圧力の方向は、駆動軸６２から外側に向かっている。支持板５８は、回転板５２上に取り付けられている。支持板５８と回転板５２とは、接触する数か所において形状適合する。支持板５８は、ブラシシャーシ５４の支持として働く。
【００２２】
分解図はまた、アタッチメント３０の主要部向け部分の更なる詳細を示している。前に示したように、ブラシ要素３２はブラシシャーシ３４に支持されている。ブラシシャーシ３４は、歯付きリング３６を備える。歯付きリングは、歯３７と、それぞれの隣接する２つの歯の間の三角形状の凹部３８とを含む。（図には１つの代表的な歯３７と、隣接する凹部３８のみを示す。）歯付きリングは回転支持要素にぴったり収まっている。これら２つの要素の係合関係の詳細は、図４から明らかであろう。
【００２３】
図４は、ブラシシャーシ３４及び回転支持要素５０の要素の部分切取拡大図である。駆動軸６２は、支持板５８の部分によって囲まれている。回転板５２を、ラッチ５４が支持板５８上に取り付けられたバネ要素５６によって付勢されることができるように、支持板５８と接触させる。ラッチ５４には、駆動軸６２から見て外方に向くノーズが設けられている。ラッチ５４はそれぞれのノーズによって、シャーシ３４の歯付きリング３６の三角形状の凹部３８と係合する。凹部３８を画定する代表的な歯３７Ａ及び歯３７Ｂが示される。
【００２４】
図から明らかなように、ラッチ５４と凹部との多くの選択位置における係合が可能である。したがって、シャーシ３４は、回転支持要素５０と様々な角度位置で係合することができる。本発明によれば、これらの位置の角度オフセットは４５°以下、好ましくは３０°、又は２０°、又は１０°又は５°以下である。このようにして、ブラシは多くの隣接位置で駆動要素に取り付けられることができ、そのため装着は直感的かつ簡便である。
【００２５】
図５は、アタッチメント３０及び回転支持要素５０の部分切取側面図を示す。この側面図から、回転支持要素５０とアタッチメントとの間の相互作用をよく理解することができる。回転支持要素５０は、中央支持軸７２に支持されている。この軸は軸受８２に軸承され、軸受８２は、軸７２の位置を回転支持要素５０に関して位置決めするためのクランプと組み合わせることもできるし、自身がクランプとして機能してもよい。回転支持要素５０の主要部品は、回転板５２及び支持板５８である。これら２つはぴったり適合する。回転板５２はラッチ５４に接続されている。これらのラッチ５４は、回転支持板５２と一体的に形成されてもよい。ラッチ５４は、回転板５２と支持板５８との間の適切な空隙に位置するバネ要素５６によってバネ付勢されている。回転板５２及び支持板５８は形状適合接続に適した形に形成されてもよく、特定のコネクタ８４で固定されてもよく、そのコネクタは例えばラッチ、ノーズ又はフック形状としてもよい。支持板５８は支持表面８６を備えている。この支持表面８６は、皮膚トリートメント用具を支持することができる。皮膚トリートメント用具３２は、支持板５８の支持表面８６を収容するための収容空間８８を備えている。収容空間は本質的に形状適合として形成することができるが、中央支持軸７２の周りの回転の自由度を許容する。
【００２６】
このようにして、高い接線方向力が働いた場合、シャーシ３４と回転支持要素５０との間の嵌合いを維持することができる。しかしながら、バネで付勢されたラッチが対応する凹部から係合解除するように、切断位置が想定される。加えられた接線方向力が、ラッチ５４を凹部から外す力より弱まって不十分になるとすぐに、ラッチは隣接する凹部３８の１つに係合することができる。
【００２７】
この断面は、有用な皮膚トリートメント用具３２の詳細をも提示している。このような皮膚トリートメント要素は、多様な毛材を保持するための台板を備えることができる。台板９０は、収容空間８８と一体的に形成することができる。台板は外側毛材を備えてもよく、これは更なる毛材の周りの外周列を形成し、外側毛材は内側毛材より長くてもよい。これに代えて、又は追加して、外縁を形成してもよい。台板９０は一般に、多くの内側毛材９４を支持する。内側毛材９４の全て、又はそのいくつかは、外側毛材９２より短くてもよい。これに代えて、又は追加して、紐材９６を備えることもできる。
【００２８】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【図１】
2014520647.tif 000003
【図２】
2014520647.tif 000004
【図３】
2014520647.tif 000005
【図４】
2014520647.tif 000006
【図５】
2014520647.tif 000007
【国際調査報告】
2014520647.tif 000008
2014520647.tif 000009